(57)【特許請求の範囲】
【請求項１】
放送された番組を録画・再生する番組録画再生部と、
録画された前記番組を、前記番組を識別する識別データと関連付けて格納する第１記憶部と、
番組に対応して提供される双方向サービスに関するサービス制御データを提供するサービスサーバから、前記識別データに基づいて、前記録画された番組に関する前記サービス制御データを取得するサービス制御部と、
取得された前記サービス制御データを格納する第２記憶部と
を具備し、
前記サービス制御部は、前記録画された番組を再生するとき、前記取得されたサービス制御データに基づいて、前記録画された番組に同期させて前記双方向サービスを提供し、
前記サービス制御データは、前記番組が開始してから前記双方向サービスが開始するまでの時刻を示す対象映像開始時刻、および前記双方向サービスの放送時間を示す映像再生時間を含むことを特徴とする
録画再生装置。
【請求項２】
請求項１に記載の録画再生装置において、
前記サービス制御データは、前記番組とは独立したデータである
録画再生装置。
【請求項３】
請求項１又は２に記載の録画再生装置において、
前記サービス制御データは、有効期限を有し、更新可能であり、
前記サービス制御部は、前記録画された番組を再生するとき、前記有効期限が切れている場合、前記サービスサーバから新たに前記サービス制御データを取得して、前記双方向サービスを提供する
録画再生装置。
【請求項４】
放送される番組に対応して提供される双方向サービスに関するサービス制御データを、前記番組を識別する第１識別データと関連付けて格納する制御サーバと、
前記第１識別データを格納するデータ検索サーバと
を具備し、
前記データ検索サーバは、前記双方向サービスの提供を受ける録画再生装置による、録画した番組の第２識別データに基づく前記録画した番組が前記双方向サービスを受けられるか否かの問い合わせに応答して、前記第２識別データと前記第１識別データとを比較して前記録画再生装置へ回答し、
前記制御サーバは、前記第１識別データに前記第２識別データが含まれていた場合に前記録画再生装置からの当該含まれていた第２識別データに対応する前記番組の前記サービス制御データの要求に応答して、当該サービス制御データを前記録画再生装置へ出力し、
前記サービス制御データは、前記番組が開始してから前記双方向サービスが開始するまでの時刻を示す対象映像開始時刻、および前記双方向サービスの放送時間を示す映像再生時間を含むことを特徴とする
サービスサーバ。
【請求項５】
請求項４に記載のサービスサーバにおいて、
前記サービス制御データは、前記番組とは独立したデータである
サービスサーバ。
【請求項６】
請求項４又は５に記載のサービスサーバにおいて、
前記サービス制御データは、有効期限を有し、前記有効期限に対応して更新可能である
サービスサーバ。
【請求項７】
（ａ）放送された番組を録画するステップと、
（ｂ）録画された前記番組を、前記番組を識別する識別データと関連付けて格納するステップと、
（ｃ）番組に対応して提供される双方向サービスに関するサービス制御データを提供するサービスサーバから、前記識別データに基づいて、前記録画された番組に関する前記サービス制御データを取得するステップと、
（ｄ）取得された前記サービス制御データを格納するステップと、
（ｅ）前記録画された番組を再生するとき、前記取得されたサービス制御データに基づいて、前記録画された番組に同期させて前記双方向サービスを提供するステップと
を具備し、
前記サービス制御データは、前記番組が開始してから前記双方向サービスが開始するまでの時刻を示す対象映像開始時刻、および前記双方向サービスの放送時間を示す映像再生時間を含むことを特徴とする
録画再生装置の動作方法。
【請求項８】
（ａ）放送される番組に対応して提供される双方向サービスに関するサービス制御データを、前記番組を識別する第１識別データと関連付けて格納するステップと、
（ｂ）前記第１識別データを格納するステップと、
（ｃ）前記双方向サービスの提供を受ける録画再生装置による、録画した番組の第２識別データに基づく前記録画した番組が前記双方向サービスを受けられるか否かの問い合わせに応答して、前記第２識別データと前記第１識別データとを比較して前記録画再生装置へ回答するステップと、
（ｄ）前記第１識別データに前記第２識別データが含まれていた場合に前記録画再生装置からの当該含まれていた第２識別データに対応する前記番組の前記サービス制御データの要求に応答して、当該サービス制御データを前記録画再生装置へ出力するステップと
を具備し、
前記サービス制御データは、前記番組が開始してから前記双方向サービスが開始するまでの時刻を示す対象映像開始時刻、および前記双方向サービスの放送時間を示す映像再生時間を含むことを特徴とする
サービスサーバの動作方法。
【請求項９】
（ａ）放送された番組を録画するステップと、
（ｂ）録画された前記番組を、前記番組を識別する識別データと関連付けて格納するステップと、
（ｃ）番組に対応して提供される双方向サービスに関するサービス制御データを提供するサービスサーバから、前記識別データに基づいて、前記録画された番組に関する前記サービス制御データを取得するステップと、
（ｄ）取得された前記サービス制御データを格納するステップと、
（ｅ）前記録画された番組を再生するとき、前記取得されたサービス制御データに基づいて、前記録画された番組に同期させて前記双方向サービスを提供するステップと
を具備し、
前記サービス制御データは、前記番組が開始してから前記双方向サービスが開始するまでの時刻を示す対象映像開始時刻、および前記双方向サービスの放送時間を示す映像再生時間を含むことを特徴とする録画再生装置の動作方法をコンピュータに実行させるプログラム。
【発明の詳細な説明】
【技術分野】
【０００１】
本発明は、録画再生装置及びサービスサーバに関し、特に録画済のＴＶコンテンツに関わる録画再生装置及びサービスサーバに関する。
【背景技術】
【０００２】
テレビジョン（以下、ＴＶと記す）放送の電波を利用したデータ送信機能と、受像機のデータ送受信機能及び情報処理機能とを用い、視聴者がテレビ放送に対して何らかの働きかけができる双方向サービスが知られている。例えば、ＢＳデジタル放送や地上波デジタル放送では、視聴者が番組を見ながら紹介されている商品を通信販売で購入したり、番組内の物や場所等の情報を表示させたり、クイズ番組に参加して回答したりというように、視聴者が番組に対して能動的に行動可能な用途がある。このような双方向サービスは、通常、提供するときにＴＶ番組データに加工を施す必要があり、概ね放送と同時に提供され、一度設定されたサービスの内容は変更することが困難である。
【０００３】
例えば、特開２００２−３３４０９２号公報に情報関連付け方法、情報閲覧装置、情報登録装置、情報検索装置、課金方法、およびプログラムが開示されている。この情報関連付け方法は、ＴＶ受像機等の画面上に表示された映像（例えば、ドラマ番組の主演女優が身に付けている衣装）に関連する情報（メーカ名や価格など）を入手可能にする。この情報関連付け方法は、情報登録装置と情報閲覧装置と情報検索装置とコンピュータネットワークを用いて、媒介情報と、該媒介情報と関連した情報（以下、関連情報）とを関連づける。情報登録装置では、媒介情報を識別するための第１の識別情報と関連情報の組を、コンピュータネットワーク経由で情報検索装置に送信する。該情報検索装置は、受信した前記第１の識別情報と前記関連情報の組をデータベースに登録する。前記情報閲覧装置では、前記媒介情報を識別するための第２の識別情報をコンピュータネットワーク経由で情報検索装置に送信する。該情報検索装置では、受信した該第２の識別情報とデータベースに登録された前記第１の識別情報とを照合して両者が一致した場合に、該第１の識別情報と組をなす前記関連情報をコンピュータネットワーク経由で情報閲覧装置に送信する。
【０００４】
また、特開２００２−１０９２５９号公報に動画映像と通信ネットワークとを用いた商取引方法、商品発注システム、並びに、商品受注コンピュータが開示されている。この商取引方法は、テレビ放送などにおいて、各種番組に出演するタレントが着用している被服やアクセサリーなどの商品を、該商品のブランドや取り扱い店などを調べる手間を無くして、番組視聴中に即座に購入できるようにする。多数の静止画の連続表示によって構成されるテレビ放送映像やビデオ映像などの動画映像と、インターネットなどの通信ネットワークとを用いて商取引を行う方法である。商取引方法は、消費者が動画映像中に含まれる購入希望の商品を選択したときに表示されている静止画に付与されたユニークな識別データを含む商品選択情報を、通信ネットワークを介して、該ネットワークに接続された受注コンピュータで受信し、該受信した商品選択情報に基づいて前記消費者の購入希望の商品を判定して、該商品に関する商取引を行う。
【０００５】
関連する技術として、特開２００２−３３５５１８号公報に表示装置を制御する制御装置、サーバ、およびプログラムが開示されている。この制御装置は、視聴者が放送者に強制されることなく、見たいときに、見たい対象に関連する広告を見ることができる技術を提供する。この制御装置は、映像を表示する表示部と、前記映像上の位置を指示操作する指示部とを有する、そのような表示装置を制御する。指示操作された映像中の対象物を認識する手段と、認識された対象物に関連付けられる所定の処理を実行する処理手段と、を備えている。
【０００６】
関連する技術として、特開２００３−２０４５３９号公報に映像提供方法及び番組映像のコンテンツ詳細取得プログラムが開示されている。この映像提供方法は、インターネットを用いて、ＴＶ画面に映し出された映像の内で視聴者が指定した映像については、その詳細を多数のメーカから提供させることで、視聴者、放送局、メーカ双方にとってコストを低減できるシステムを得る。この映像提供方法は、番組映像提供局側から送信された映像を視聴者端末が受けてＴＶ画面に表示し、かつこの視聴者端末がコンピュータネットワークを用いて前記ＴＶ画面の視聴者が興味を持ったものに関するホームページを画面に表示させて、番組内の映像コンテンツに関する詳細情報を提供する映像提供方法である。前記視聴者側端末においては、ＴＶ画面に映し出されている現画面内のコンテンツ映像が指定される毎に、その画面内の指定座標情報及び現在時刻、チャンネルを画面ポイント情報として順次、抽出して保存するステップと、前記視聴者が要求したとき、前記保存している多数の画面ポイント情報の詳細情報を提供できる全てのサイトのホームページを表示可能とするための多数のサイトのＵＲＬコードを、前記番組映像提供側から前記コンピュータネットワークを介して提供させて保存するステップと、前記番組映像提供局から提供された多数のサイトのＵＲＬを表示させて、該サイトのホームページの提供を前記コンピュータシステムを用いて促すステップとを有する。
【０００７】
関連する技術として、特開２００１−３４４２５１号公報にコンテンツ検索装置、コンテンツ検索方法及びコンテンツ検索プログラムを記録した記録媒体が開示されている。このコンテンツ検索装置は、適当なキーワードの設定を誘導し、自分の好みに合ったキーワードに関連したコンテンツを取得し、キーワード登録の自動化を図り、Ｗｅｂブラウザのホームページのタイトルを利用して登録の自動化を図る。このコンテンツ検索装置は、キーワードを入力して検索されたコンテンツを出力する。時刻を計測する時刻計測部と、少なくとも放送日時と放送チャネルと番組の表題との対応関係からなる番組情報を記録し、放送信号を受信するチャネルと前記時刻から放送番組を特定し、前記放送番組の開始からの経過時間を計測する映像識別情報検出部と、前記放送信号に基づく映像を表示する映像表示部と、前記表示映像上の映像領域を指定する座標情報抽出部と、少なくとも前記映像領域が入力された経過時間とキーワードとの対応関係を記録する経過時間キーワード対応記録部と、前記映像領域が入力された経過時間に対応するキーワードを特定して送信するキーワード送信部と、前記キーワードに対応するコンテンツ検索情報又はコンテンツを表示するコンテンツ出力部とを有する。
【０００８】
【特許文献１】特開２００２−３３４０９２号公報
【特許文献２】特開２００２−１０９２５９号公報
【特許文献３】特開２００２−３３５５１８号公報
【特許文献４】特開２００３−２０４５３９号公報
【特許文献５】特開２００１−３４４２５１号公報
【発明の開示】
【発明が解決しようとする課題】
【０００９】
本発明の目的は、視聴者に録画されたＴＶ番組においても双方向なサービスを受けることが可能な録画再生装置及びサービスサーバを提供することにある。
【００１０】
また、本発明の他の目的は、視聴者に録画されたＴＶ番組で受けられる双方向サービスの内容やサービス期間を、ＴＶ番組放送終了後に自在に変更可能な録画再生装置及びサービスサーバを提供することにある。
【００１１】
本発明の更に他の目的は、ＴＶ番組の放送データそのものに特別な処理をしなくても、当該ＴＶ番組において双方向サービスを提供可能な録画再生装置及びサービスサーバを提供することにある。
【課題を解決するための手段】
【００１２】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１３】
上記課題を解決するために、本発明の録画再生装置は、番組録画再生部（１２−１５）と、第１記憶部（２２、２３）と、サービス制御部（１７−２０）と、第２記憶部（２４）とを具備する。番組録画再生部（１２−１５）は、放送された番組を録画・再生する。第１記憶部（２２、２３）は、録画された番組を、番組を識別する識別データと関連付けて格納する。サービス制御部（１７−２０）は、番組に対応して提供される双方向サービスに関するサービス制御データを提供するサービスサーバ（２）から、識別データに基づいて、録画された番組に関するサービス制御データを取得する。第２記憶部（２４）は、取得されたサービス制御データを格納する。サービス制御部（１７−２０）は、録画された番組を再生するとき、取得されたサービス制御データに基づいて、録画された番組に同期させて双方向サービスを提供する。
【００１４】
上記の録画再生装置において、サービス制御データは、番組とは独立したデータである。
【００１５】
上記の録画再生装置において、サービス制御データは、有効期限を有し、更新可能である。サービス制御部（１７−２０）は、録画された番組を再生するとき、有効期限が切れている場合、サービスサーバ（２）から新たにサービス制御データを取得して、双方向サービスを提供する。
【００１６】
上記の録画再生装置において、サービス制御データは、番組を表示する画面内に複数の領域を設定する第１画面マスク（ＭＳ）と、第１画面マスク（ＭＳ）の座標で指定される第１位置データ（ＰＰ）とを含む。サービス制御部（１７−２０）は、複数の領域のうちの第１位置データ（ＰＰ）で指定される領域に対して、双方向サービスを提供する。
【００１７】
上記の録画再生装置において、第１画面マスク（ＭＳ）は、幾何学的形状に対応するように格子を配置された格子状マスクである。ここで、幾何学的形状に対応するように格子を配置するとは、幾何学的形状内における位置を、簡易な座標だけで表現可能に格子を設定することである。第１画面マスク（ＭＳ）は、相対的に目の粗い格子状に複数の領域を設定する第１格子状マスク（２２１）、相対的に目の細かい格子状に複数の領域を設定する第２格子状マスク（２２２）、相対的に目の粗い格子と目の細かい格子とが混合した第３格子状マスク、同心円状に複数の領域を設定する同心円マスク（２２６）、及び斜め格子状に複数の領域を設定する斜め格子状マスク（２２７）に例示される。
【００１８】
上記の録画再生装置において、サービス制御データは、第１画面マスク（ＭＳ）及び第１位置データ（ＰＰ）に加えて、第１位置データ（ＰＰ）で指定される領域に複数の領域を設定する第２画面マスク（ＭＳ）と、第２画面マスク（ＭＳ）の座標で指定される第２位置データ（ＰＰ）とを更に含む。サービス制御部（１７−２０）は、第１位置データ（ＰＰ）で指定される領域における複数の領域のうちの第２位置データ（ＰＰ）で指定される領域に対して、双方向サービスを提供する。
【００１９】
上記の録画再生装置において、サービス制御データは、番組における双方向サービスを提供する時間を示す時間データ（１０５−１０８）を含む。サービス制御部（１７−２０）は、時間データ（１０５−１０８）に対応する時間に双方向サービスを提供する。
【００２０】
上記課題を解決するために、本発明のサービスサーバは、放送される番組に対応して提供される双方向サービスに関するサービス制御データを、番組を識別する第１識別データと関連付けて格納する制御サーバ（４１）と、第１識別データを格納するデータ検索サーバ（４２）とを具備する。データ検索サーバ（４２）は、双方向サービスの提供を受ける録画再生装置（１）による、録画した番組の第２識別データに基づく録画した番組が双方向サービスを受けられるか否かの問い合わせに応答して、第２識別データと第１識別データとを比較して録画再生装置（１）へ回答する。制御サーバ（４１）は、第１識別データに第２識別データが含まれていた場合に録画再生装置（１）からの当該含まれていた第２識別データに対応する番組のサービス制御データの要求に応答して、当該サービス制御データを録画再生装置（１）へ出力する。
【００２１】
上記のサービスサーバにおいて、サービス制御データは、番組とは独立したデータである。
【００２２】
上記のサービスサーバにおいて、サービス制御データは、有効期限を有し、有効期限に対応して更新可能である。
【００２３】
上記課題を解決するために、本発明の録画再生装置の動作方法は、（ａ）放送された番組を録画するステップと；（ｂ）録画された番組を、番組を識別する識別データと関連付けて格納するステップと；（ｃ）番組に対応して提供される双方向サービスに関するサービス制御データを提供するサービスサーバ（２）から、識別データに基づいて、録画された番組に関するサービス制御データを取得するステップと；（ｄ）取得されたサービス制御データを格納するステップと；（ｅ）録画された番組を再生するとき、取得されたサービス制御データに基づいて、録画された番組に同期させて双方向サービスを提供するステップとを具備する。
【００２４】
上記課題を解決するために、本発明のサービスサーバの動作方法は、（ａ）放送される番組に対応して提供される双方向サービスに関するサービス制御データを、番組を識別する第１識別データと関連付けて格納するステップと；（ｂ）第１識別データを格納するステップと；（ｃ）、双方向サービスの提供を受ける録画再生装置（１）による、録画した番組の第２識別データに基づく録画した番組が双方向サービスを受けられるか否かの問い合わせに応答して、第２識別データと第１識別データとを比較して録画再生装置（１）へ回答するステップと；（ｄ）第１識別データに第２識別データが含まれていた場合に録画再生装置（１）からの当該含まれていた第２識別データに対応する番組のサービス制御データの要求に応答して、当該サービス制御データを録画再生装置（１）へ出力するステップとを具備する。
【００２５】
上記課題を解決するために、本発明のプログラムは、（ａ）放送された番組を録画するステップと；（ｂ）録画された番組を、番組を識別する識別データと関連付けて格納するステップと；（ｃ）番組に対応して提供される双方向サービスに関するサービス制御データを提供するサービスサーバ（２）から、識別データに基づいて、録画された番組に関するサービス制御データを取得するステップと；（ｄ）取得されたサービス制御データを格納するステップと；（ｅ）録画された番組を再生するとき、取得されたサービス制御データに基づいて、録画された番組に同期させて双方向サービスを提供するステップとを具備する録画再生装置の動作方法をコンピュータに実行させる。
【発明の効果】
【００２６】
本発明により、視聴者に録画されたＴＶ番組においても双方向なサービスを受けることができ、その双方向サービスの内容やサービス期間を、ＴＶ番組放送終了後に自在に変更可能であり、ＴＶ番組の放送データそのものに特別な処理をしなくても、当該ＴＶ番組において双方向サービスを提供可能となる。
【発明を実施するための最良の形態】
【００２７】
以下、本発明の録画再生装置及びサービスサーバの実施の形態に関して、添付図面を参照して説明する。まず、本発明の録画再生装置及びサービスサーバをＴＶコンテンツ同期システムに適用した実施の形態の構成について説明する。図１は、本発明の録画再生装置及びサービスサーバをＴＶコンテンツ同期システムに適用した実施の形態の構成を示すブロック図である。ＴＶコンテンツ同期システムは、録画再生装置１と、サービスサーバ２と、放送システム３とを具備する。
【００２８】
録画再生装置１は、ユーザ（視聴者）に属し、ＤＶＤレコーダやＨＤＤレコーダに例示される。録画再生装置１は、放送システム３からＴＶ番組を示すＴＶ番組データを受信し、そのＴＶ番組データを表示（再生）及び録画する。また、ネットワーク４を介してサービスサーバ２から録画したＴＶ番組に関するＴＶ同期サービス（双方向サービス）のためのサービス制御データを取得する。そして、取得したサービス制御データに基づいて、その録画したＴＶ番組データの再生中にＴＶ同期サービスを実行する。
【００２９】
サービスサーバ２は、ＴＶ同期サービスを行う業者や放送業者に属し、ワークステーションに例示される情報処理装置である。サービスサーバ２は、ＴＶ同期サービスに用いるデータやプログラムを格納、実行する。サービスサーバ２は、制御サーバ４１と、ＥＰＧ・検索サーバ４２と、個人得点管理サーバ４３とを備える。なお、制御サーバ４１とＥＰＧ・検索サーバ４２と個人得点管理サーバ４３とは、一体であっても良い。その場合、装置コストが低く抑えられる。
【００３０】
制御サーバ４１は、放送サーバ５１から、ＴＶ番組ごとにサービス制御データを取得し、格納している。ＥＰＧ・検索サーバ４２は、放送サーバ５１から、制御サーバ４１にサービス制御データを格納されたＴＶ番組に関するＥＰＧデータを取得し、格納している。これらのサービス制御データと、そのサービス制御データに対応するＥＰＧデータとは、互いに関連付けられている。ＥＰＧ・検索サーバ４２は、録画再生装置１（ユーザ）からの問い合せに応答して、録画再生装置１が録画したＴＶ番組について、そのＴＶ番組に関するサービス制御データが制御サーバ４１に格納されているか否かを判断して、録画再生装置１へ回答する。制御サーバ４１は、その判断を、録画再生装置１が録画したＴＶ番組のＥＰＧデータと、自身が格納するＥＰＧデータとを比較することで行う。制御サーバ４１は、録画再生装置１からの要求に基づいて、所望のＴＶ番組のサービス制御データを当該録画再生装置１へ送信する。個人得点管理サーバ４３は、ＴＶ同期サービスでユーザ（録画再生装置１）が獲得した得点を、ユーザを識別する情報と関連付けて管理している。
【００３１】
放送システム３は、放送局に属し、ＴＶ番組データを放送する。そのＴＶ番組データは、ＴＶ同期サービスに関するデータを含んでいない、従来のＴＶ番組データと同じものでよい。放送システム３は、放送サーバ５１を備える。放送サーバ５１は、ＴＶ同期サービスを行うＴＶ番組に関するサービス制御データを生成する。そして、ＴＶ同期サービスを行うＴＶ番組のＥＰＧデータとそのサービス制御データとをサービスサーバ２へ送信する。放送システム３とサービスサーバ２とは一体であっても良い。その場合、装置コストが低く抑えられる。また、サービス制御データは、サービスサーバ２が生成しても良い。
【００３２】
本発明では、ＴＶ番組において、例えば、ＣＭ番組中の特定商品の詳細情報を得たり、ドラマ番組中のプレースメント広告の対象商品の詳細情報入手・通販購入を行ったり、旅番組での地図を紹介したり、画面中のいくつかの選択問題に投票を行う、等のＴＶ同期サービス（双方向サービス）をＴＶ番組コンテンツ（ＴＶ番組データ）の中に直接折り込んで提供しない。そして、サービスサーバ２を設けて、そこにＴＶ同期サービスに関わるデータを格納しておく。視聴者がＴＶ同期サービスの提供を望む場合、サービスサーバ２からサービス制御データをダウンロードし、録画再生装置１において録画したＴＶ番組とサービス制御データとを同期させて再生することで、ＴＶ同期サービスの提供を受けることが出来る。このようにＴＶ同期サービスを担うサービス制御データをサービスサーバ２に置くことで、番組放送終了後であっても、後付けで簡単にＴＶ同期サービスを提供することができる。また、サービスサーバ２のサービス制御データを更新することで、ＴＶ同期サービスの内容を適宜変更することも可能となる。視聴者にとっても録画し、再生しながらゆっくりと操作することが可能となる。
【００３３】
次に、本発明の録画再生装置及びサービスサーバをＴＶコンテンツ同期システムに適用した録画再生装置の実施の形態について説明する。
図２は、本発明の録画再生装置の実施の形態の構成を示すブロック図である。録画再生装置１は、受信部１１、ＴＶ画像表示部１２、画像合成部１３、録画・再生部１４、ＥＰＧ分離制御部１５、リモコン入力制御部１６、ＴＶ同期サービス制御部１７、再生同期制御部１８、マーカ設定・検出部１９、ＴＶ同期サービス制御データ検出部２０、インターネット接続部２１、ＥＰＧデータ記憶部２２、録画番組ファイル記憶部２３、制御データ記憶部２４、アンテナ２５を備える。
【００３４】
アンテナ２５は、一般住宅のＴＶアンテナや集合住宅の共同アンテナに例示される。放送システム３からのＴＶ番組を示すＴＶ番組データを電波で受信して、受信部１１へ供給する。受信部１１は、ＴＶ番組データを示す電波を検波して、ＴＶ番組データを取得する。ＴＶ画像表示部１２は、ＴＶ番組データを表示装置２８で表示可能な映像データに変換する。画像合成部１３は、合成する合成用画像データがある場合、マーカ設定・検出部１９から合成用画像データを取得し、映像データに合成し、表示装置２８へ出力する。表示装置２８は、ＴＶ受信機やパーソナルコンピュータ（以下、ＰＣと記す）のディスプレイに例示される。
【００３５】
録画・再生部１４は、ＴＶ番組データを録画、すなわちＴＶ番組データを録画番組ファイル記憶部２３へ録画番組ファイルとして記憶する。また、再生同期制御部１８の指示に基づいて、マーカ設定・検出部１９の動作と同期しながら、録画番組ファイル記憶部２３の録画番組ファイルを再生する。録画番組ファイル記憶部２３は、録画番組ファイルを格納する。ＥＰＧ分離制御部１５は、録画されるＴＶ番組データからＥＰＧデータを抽出し、ＥＰＧデータ記憶部２２へ格納する。ＥＰＧデータ記憶部２２は、録画番組ファイル記憶部２３に格納された録画番組ファイルの各番組のＥＰＧデータを格納する。このとき、ＥＰＧデータ記憶部２２のＥＰＧデータと録画番組ファイル記憶部２３の録画番組ファイルとは互いに関連付けられている。
【００３６】
リモコン入力制御部１６は、ユーザ（視聴者）がリモコンを操作した内容を示すリモコン操作データを、リモコンから受信して、ＴＶ同期サービス制御部１７へ出力する。ＴＶ同期サービス制御部１７は、リモコン操作データがＴＶ同期サービスを行うＴＶ番組の問合せを示している場合、録画番組ファイル記憶部２３に格納されたＴＶ番組が、ＴＶ同期サービスを行うＴＶ番組に該当するかをサービスサーバ２へ問い合せるようにＴＶ同期サービス制御データ検出部２０へ指示する。また、リモコン操作データがＴＶ同期サービスを行うＴＶ番組の再生を示している場合、サービスサーバ２の制御サーバ４１から当該ＴＶ番組に関するサービス制御データを取得するようにＴＶ同期サービス制御データ検出部２０へ指示する。そして、サービス制御データが制御データ記憶部２４に格納された場合、再生同期制御部１８に当該ＴＶ番組の再生を指示する。更に、当該所望のＴＶ番組の再生と同期するようにマーカ設定・検出部１９を動作させる。再生同期制御部１８は、当該ＴＶ番組を、マーカ設定・検出部１９の動作と同期しながら再生するように録画・再生部１４に再生を指示する。マーカ設定・検出部１９は、制御データ記憶部２４に格納されたサービス制御データとリモコン操作データとに基づいて、合成用画像データを生成し、録画・再生部１４の再生動作に同期させて、その合成用画像データを画像合成部１３へ出力する。
【００３７】
ＴＶ同期サービス制御データ検出部２０は、ＴＶ同期サービス制御部１７による指示に基づいて、録画番組ファイル記憶部２３に格納されたＴＶ番組に対応するＥＰＧデータをＥＰＧデータ記憶部２２から取得して、インターネット接続部２１及びネットワーク４経由でサービスサーバ２にアクセスする。そして、ＥＰＧ・検索サーバ４２に格納されたＥＰＧデータのうち、ＥＰＧデータ記憶部２２に格納されたＥＰＧデータに対応するものがあるか否か（ＴＶ同期サービスを提供するＴＶ番組があるか否か）を問い合せる。ＥＰＧ・検索サーバ４２に対応するＥＰＧデータが有る場合、そのＥＰＧデータを制御データ記憶部２４に格納すると共にＴＶ同期サービス制御部１７へ通知する。また、ＴＶ同期サービス制御部１７による指示に基づいて、インターネット接続部２１及びネットワーク４経由でサービスサーバ２にアクセスする。そして、ＥＰＧ・検索サーバ４２介して制御サーバ４１からＴＶ同期サービスを行うＴＶ番組のサービス制御データを取得する。そして、そのサービス制御データを、制御データ記憶部２４に格納すると共にＴＶ同期サービス制御部１７へ通知する。制御データ記憶部２４は、録画番組ファイルのうち、ＴＶ同期サービスを行うＴＶ番組のＥＰＧデータとそのサービス制御データとを関連付けて格納する。インターネット接続部２１は、ネットワーク４を介した録画再生装置１とサービスサーバ２との通信を媒介する。
【００３８】
受信部１１、ＴＶ画像表示部１２、画像合成部１３、録画・再生部１４、ＥＰＧ分離制御部１５、リモコン入力制御部１６、ＴＶ同期サービス制御部１７、再生同期制御部１８、マーカ設定・検出部１９、ＴＶ同期サービス制御データ検出部２０、及びインターネット接続部２１は、ハードウエア、ソフトウエア又はそれらの組合せによって実現可能である。ハードウェアの場合、電子素子の組み合わせによる回路により実現される。ソフトウェアの場合、ＨＤＤのような記憶装置に格納され、ＣＰＵのような演算処理装置によって実行される。また、ＥＰＧデータ記憶部２２、録画番組ファイル記憶部２３及び制御データ記憶部２４は、ＨＤＤや半導体メモリに例示される記憶素子で実現することが出来る。
【００３９】
次に、サービス制御データについて説明する。図３は、サービス制御データの一例を示す図である。サービス制御データ１００は、番組コード１０１、番組放送日時及びチャンネル１０２、対象映像開始時刻（ＴＣ１）１０５、映像再生時間（α）１０６、対象映像終了時刻（ＴＣ２）１０７、（ＴＣ１＋α）１０８、サービス種類１１１、ヒントメッセージ１１２、有効期間１１３、ダミーポジション１１７−１〜１１７−ｎ（ｎは自然数、以下同じ）、位置マスク指定１１８−１〜１１８−ｎ、正解位置指定１２１、位置マスク指定１２２、得点１２３、位置表示フラグ１２５、戻りＷｅｂＵＲＬ１２７を有する。
【００４０】
番組コード１０１は、ＴＶ番組を識別するＩＤである。ＴＶ番組は、ドラマ番組やニュース番組やＣＭ番組やそれらの組み合わせに例示される。番組放送日時及びチャンネル１０２は、ＴＶ番組の放送日時及びチャンネル番号である。これらは、ＥＰＧデータにも含まれている。そして、サービス制御データとＥＰＧデータとを関連付けるために用いることが出来る。
【００４１】
対象映像開始時刻（ＴＣ１）１０５は、ＴＶ番組の開始からＴＶ同期サービスの開始までの時間である。映像再生時間（α）１０６は、ＴＶ同期サービスの放映時間である。対象映像終了時刻（ＴＣ２）１０７は、ＴＶ番組の開始からＴＶ同期サービスの終了までの時間である。（ＴＣ１＋α）１０８は、対象映像開始時刻（ＴＣ１）１０５と映像再生時間（α）との和、すなわち、対象映像終了時刻（ＴＣ２）１０７である。
【００４２】
サービス種類１１１は、ＴＶ同期サービスの種類である。サービス種類は、例えば、クイズ、及び情報提供に例示される。ヒントメッセージ１１２は、ＴＶ同期サービスの種類がクイズの場合、提供されるクイズのヒントに例示される。Ｖ同期サービスの種類が情報提供の場合、情報提供の内容である。有効期間１１３は、ＴＶ同期サービスの提供される期間である。有効期間を設定してＴＶ同期サービスの種類・内容を次々に更新することで、既に放送したＴＶ番組に対しても、様々な種類・内容のＴＶ同期サービスを後付けで提供することが出来る。
【００４３】
ダミーポジション１１７−１〜１１７−ｎは、ＴＶ同期サービスの提供のとき、表示装置２８の画面上に設定されるマーカの位置（座標：画面マスク（後述）の座標）である。そのマーカは、ＴＶ同期サービスの種類がクイズの場合、クイズの回答の選択肢に例示される。ＴＶ同期サービスの種類が情報提供の場合、情報提供の対象の選択肢に例示される。位置マスク指定１１８−１〜１１８−ｎは、それぞれダミーポジション１１７−１〜１１７−ｎに対応して設定され、各マーカの位置を指定する座標を決定する画面マスクである。画面マスクの詳細は後述する。
【００４４】
正解指定位置１２１は、ＴＶ同期サービスの提供のとき、ＴＶ同期サービスの種類がクイズの場合、表示装置２８の画面上に表示されるマーカの位置（座標：画面マスクの座標）のうち、クイズの正解のマーカの位置である。位置マスク指定１２２は、正解位置指定１２１に対応して設定され、正解のマーカの位置を指定する座標を決定するマスクである。得点１２３は、ＴＶ同期サービスの提供のとき、ＴＶ同期サービスの種類がクイズの場合、ユーザ（視聴者）が正解のマーカを選んだとき、ユーザが得る得点、そのメッセージ及びシンボルである。位置表示フラグ１２５は、各マーカを表示装置２８の画面上に表示するか否かを示すフラグである。
【００４５】
戻りＷｅｂＵＲＬ１２７は、サービスサーバ２のＵＲＬである。戻りＷｅｂＵＲＬ１２７は、ＴＶ同期サービスの種類がクイズの場合、サービスサーバ２のそのクイズ用のＵＲＬに例示される。ＴＶ同期サービスの種類が情報提供の場合、サービスサーバ２のその情報提供用のＵＲＬに例示される。
【００４６】
次に、本発明の録画再生装置及びサービスサーバを適用したＴＶコンテンツ同期システムのＴＶ同期サービスの概要について、クイズ付きＣＭ番組を提供する場合を例にして説明する。図４は、ＴＶ同期サービスの概要を説明する図である。この図は、ＴＶ番組の一例として、ＣＭ番組を示している。このＣＭ番組は、クイズを含んでいる。すなわち、サービス制御データ１００のサービス種類１１１がクイズを示している。図４（ａ）は、このＣＭ番組のタイムチャートを示す。図４（ｂ）〜（ｄ）は、（ａ）のタイムチャートにおける各時刻において表示装置２８の画面２００に表示される映像を示す。
【００４７】
図４（ａ）を参照して、このＣＭ番組は、その開始を示すＨＯＣ（Ｈｅａｄ  ｏｆ  Ｃｏｎｔｅｎｔｓ）からサービス制御データ１００の対象映像開始時刻（ＴＣ１）１０５までは、図４（ｂ）に示す映像２０１が表示装置２８の画面２００に表示される。その後、対象映像開始時刻（ＴＣ１）１０５から対象映像終了時刻（ＴＣ２）１０７までの映像再生時間（α）１０６は、図４（ｃ）に示す映像２０２が表示される。その後、対象映像終了時刻（ＴＣ２）１０７からＣＭ番組終了までは、図４（ｄ）に示す映像２０３が表示される。
【００４８】
図４（ｂ）を参照して、この映像２０１は、通常の映像データ２０１ａと合成用画像データとしてのヒントメッセージ２０１ｂとが合成されている。ヒントメッセージ２０１ｂは、このＣＭ番組のクイズ（質問）及びそのヒントを示し、サービス制御データ１００のヒントメッセージ１１２の内容が表示されている。このヒントメッセージはＣＭ番組全体を通して表示される。しかし、早送りのときは合成用画像データが映像データ２０１ａに合成されず、このヒントメッセージは表示されない。
【００４９】
図４（ｃ）を参照して、この映像２０２は、後述の画面マスク（本図では図示されず）と通常の映像データ２０２ａと合成用画像データとしてのヒントメッセージ２０２ｂとが合成されている。ただし、ヒントメッセージ２０１ｂとヒントメッセージ２０２ｂとは同一である。この図において、ユーザ（視聴者）が画面２００上の正解の位置をマウスのようなポインティングデバイスでクリックすることで、クイズの正解となる。この図では、位置表示フラグ１２５をオフとして、ダミーポジション１１７−１〜１１７−ｎや正解指定位置１２１を示すマーカは表示されていない。
【００５０】
図４（ｄ）を参照して、この映像２０３は、通常の映像データ２０３ａと合成用画像データとしてのヒントメッセージ２０３ｂとが合成されている。ただし、ヒントメッセージ２０１ｂとヒントメッセージ２０３ｂとは同一である。
【００５１】
図４のＣＭ番組では、クイズの正解部分が対象映像開始時刻（ＴＣ１）１０５から対象映像終了時刻（ＴＣ２）１０７までの映像再生時間（α）１０６に限定されているため、リアルタイム視聴の場合、視聴者が正解できる確率が低くなるほか、クイズの正解を見つけることに集中してしまい、ＣＭ番組の内容に気を留めない可能性がある。しかし、本発明では、録画の場合でもクイズに参加できる（ＴＶ同期サービスを受けられる）ので、ゆっくり視聴者のペースで正解を見るけることが出来、視聴者の顧客満足度を向上させることが出来る。加えて、その場合、視聴者によっては複数回ＣＭ番組を観ることになるので、ＣＭ番組のＣＭとしての効果を向上させることが可能となる。さらに、ＴＶ同期サービスの内容を更新することで、一度クイズに回答した場合でも、更にもう一度そのＣＭ番組を観てみようという気になるので、ＣＭ番組のＣＭとしての効果をより向上させることが可能となる。なお、ＴＶ同期サービスの内容を更新については、他のＴＶ番組や、当該ＣＭ番組、雑誌やラジオにて告知することも可能である。この場合、サービスサーバ２のサービス制御データを更新するだけで、ＣＭ番組そのものを更新する必要がないので、低コストでＣＭ番組の効果を向上させることが出来る。
【００５２】
図５は、画面上の座標の及びクイズの正解の座標（位置）の設定方法の概要を説明する図である。図５（ａ）は、図４（ｃ）と同じであり、画面２００上に映像２０２が表示されている状態を示している。この映像２０２は、通常の映像データ２０２ａと合成用画像データとしてのメッセージデータ２０２ｂとが合成されている。図５（ｂ）は、更に、図５（ｃ）に示す画面マスク２２１が合成されている。ただし、画面マスク２２１は、実際には画面２００上に表示されない。そして、映像２０２内に、ポインティングデバイスでクリック（選択）可能なダミーポイント２０４−１〜２０４−ｎ及び正解ポイント２０５が設定されている。それらは、ダミーポジション１１７、位置マスク指定１１８、位置マスク指定１２２及び画面マスク２２１の座標で設定されている。
この図の例では、以下のようになる。
（イ）ダミーポイント２０４−１：
サービス制御データ１００のダミーポジション１１７−１：（ｈ６、ｖ１）
サービス制御データ１００の位置マスク指定１１８−１：画面マスク２２１
（ロ）ダミーポイント２０４−２：
サービス制御データ１００のダミーポジション１１７−２：（ｈ２、ｖ３）
サービス制御データ１００の位置マスク指定１１８−２：画面マスク２２１
（ハ）正解ポイント２０５
サービス制御データ１００の正解指定位置１２１：（ｈ４、ｖ２）
サービス制御データ１００の位置マスク指定１１８−２：画面マスク２２１
なお、この図の例では、位置表示フラグ１２５をオフとして、ダミーポイント２０４−１〜２０４−２や正解ポイント２０５を示すマーカは表示されていない。
【００５３】
このように、本発明では、画像マスクを指定し、その画像マスクでの座標を用いて各ポイントの位置の指定を行う。ここで、画像マスクは、表示装置２８の画面２００の大きさに対応して、相似的に変動させることで、どのような画面サイズにも対応できる。
【００５４】
また、画面マスクは、画面マスク２２１に限定されるものではなく、状況に応じて、例えば、図５（ｄ）のような画面マスク２２１より細かく座標の設定が可能な画面マスク２２２や、図５（ｅ）のような場所により座標の細かさが異なる画面マスク（ＳＭＰ３）２２３を用いることができる。画面マスク２２１は、分割が比較的粗いので簡単なクイズ向きであり、ＴＶ用の録画再生装置１に向いている。画面マスク２２２は、分割が比較的細かいので、時間をかけて解くクイズ向きであり、ＰＣ用の録画再生装置１に向いている。画面マスク２２３は、分割が粗い場所と細かい場所とがあり、画面マスク２２１と画面マスク２２２の中間的である。
【００５５】
図６は、画像マスクを用いる利点を説明する概略図である。図６（ａ）は、本発明の画像マスクを用いる場合を示し、図６（ｂ）は、従来の画面の座標を用いる場合を示す。図６（ａ）を参照すると、本発明では、映像２０２のポイント２３１を指定するために、画像マス２２１及びその座標（ｈ７、ｖ３）を指定するだけでよい。画像マスクが標準化されていれば、その表現も簡略されるので、画像マスクと座標とを合わせたデータの量も少なくて済む。一方、図６（ｂ）を参照すると、映像２０２のポイント２３１を指定するために絶対座標を用いると、Ｐ１（ｘ１、ｙ１）及びＰ２（ｘ２、ｙ２）の２点が少なくとも必要であり、場合によっては４点が必要になることもある。そのため、座標のデータ量が多くなってしまう。加えて、雑誌や新聞、口頭などの一般的なメディアによりこのＣＭ番組に関する情報としてポイント２３１を伝達するには、画像マスクと座標とを合わせた表現方法のほうが、絶対座標を用いた表現方法に比較して、分かりやすくコミュニケーションを容易にとることができ好適である。
【００５６】
更に、本方式を用いれば、物理的な画面構成、形状にとらわれずに汎用的な指示（例示：画像マスクを指定する識別情報と座標）のみで画像上の位置を指定することができる。それにより、画像上の位置を利用して提供される各種サービスを実現するための標準的なインターフェースとして有効である。
【００５７】
図７は、クイズに正解したときの映像を示す概略図である。図７（ａ）は、映像２０２の正解ポイント２０５（図５）を視聴者がポインティングデバイスのポインタ２４０でクリックした場合を示している。ここでは、視聴者は、メッセージデータ２０２ｂに記載されたヒントメッセージ１１２のヒント“ボトル”を参考にして、テーブル２４２上に置かれた化粧水のボトル２４１をクリックしている。図７（ｂ）は、正解ポイントをクリックした結果として起こる映像２０２上の変化を示している。サービス制御データ１００の得点１２３のデータ（得点、メッセージ及びシンボル）に基づいて、メッセージデータ２４３とシンボル２４５が生成されて、表示される。すなわち、映像２０２では、正解を視覚的に示すシンボル２４５、及び正解により獲得した得点１２３と合計ポイント（ネットワーク４を介してサービスサーバ２から取得：後述）とを示すメッセージ２４３とが表示されている。
【００５８】
図８は、他の画像マスク及びそれを用いる利点を説明する概略図である。図８（ａ）は、本発明の画像マスクを用いる場合を示し、図８（ｂ）は、従来の画面の座標を用いる場合を示す。図８（ａ）を参照して、本発明では、画面２００のポイント２７２を指定するために、画像マスク２２６及びその座標（Ｐ２，Ｒ４）を指定するだけでよい。画像マスクが標準化されていれば、その表現も簡略されるので、画像マスクと座標とを合わせたデータの量も少なくて済む。一方、図８（ｂ）を参照して、画面２００のポイント２７２とほぼ同じポイント２７２ａを指定するために絶対座標を用いると、Ｐ３（ｘ３、ｙ３）、Ｐ４（ｘ４、ｙ４）、…、Ｐ１２（ｘ１２、ｙ１２）の１０点が少なくとも必要であり、座標のデータ量が多くなってしまう。加えて、雑誌や新聞、口頭などの一般的なメディアによりこのＣＭ番組に関する情報としてポイント２７２を伝達するには、画像マスクと座標とを合わせた表現方法のほうが、絶対座標を用いた表現方法に比較して、分かりやすくコミュニケーションを容易にとることができ好適である。このような形状の画像マスクは、ダーツのようなゲームや、台風、植物の茎、星雲、地球等自然界に存在する円形や同心円形のものに適用することが好適である。
【００５９】
図９は、他の画像マスクを用いる利点を説明する概略図である。この図は、本発明の斜め格子状の画像マスク２２７を用いる場合を示している。この場合も従来の画面の座標を用いる場合に比較して、図８の場合と同様の効果を得ることができる。このような形状の画像マスクは、自然界及び人工構造物において、斜頚する物体・位置するものに適用することが好適である。
【００６０】
上記各画面マスクは、例示であり、本発明はこれらの例示限定されるものではない。すなわち、種々の幾何学的形状に対応するように格子を配置することで、種々の画面マスクを設定することが出来る。ここで、幾何学的形状に対応するように格子を配置するとは、幾何学的形状内における位置を、簡易な座標だけで表現可能に格子を設定することであり、例えば、円形状について、同心円と中心から伸びる放射状の線で格子を配置することのように、上述された各種の画像マスク２２１、２２２、２２３、２２６、２２７に例示される。
【００６１】
図１０は、画面上のクイズの正解の座標（位置）の表示方法の概要を説明する図である。図５（ｃ）の場合には、ダミーポイント２０４−１、２０４−２及び正解ポイント２０５を示すマーカを画面２００上に明示していない。しかし、本図に示すように、ダミーポイント２３４−１、２３４−２及び正解ポイント２３５を示すマーカ（二重丸で表示）のように明示してもよい。この場合、例えばリモコンの「→」ボタンを押す毎に、ダミーポイント２３４−１（二重丸マーカ）→正解ポイント２３５（二重丸マーカ）→ダミーポイント２３４−２（二重丸マーカ）のようにポインティングデバイスのポインタが移動し、決定ボタンで選択するようにしてもよい。
【００６２】
各ポイントを示すマーカの表示を用いる場合としては、例えば、クイズを易しくたいとき、視聴者が位置を決め難いとき、などに用いる。各ポイントを示すマーカの表示を用いない場合としては、例えば、視聴者がヒントメッセージに従って試行錯誤的に画面上をポインティングデバイスでクリックして、正解ポイントを探すようにな形態や、比較的難しい問題、口コミでヒントを与えたい場合、などに用いる。
【００６３】
図１１は、映像サイズの変更方法を説明する図である。表示装置２８がＰＣ用のモニタや大型デジタルＴＶの場合、図中右側に表示した画面２００のようにフルスクリーンで表示する場合の他に、図中左側に表示したフルスクリーンの画面２００ａ内の画面２００ｂのように部分的に表示する場合がある。画面２００ａ内に画面２００ｂのように部分的に表示する場合、座標変換（アドレス変換）を行う。座標変換の方法は、画面２００ａ内でのＴＶ表示ウインドウ（画面２００ｂ）の位置と大きさを取得することで、相似変換により容易に行うことができる。
【００６４】
また、縦横比１６：９のハイビジョン画像と縦横比４：３の通常画像との間の画像変換は、通常のTV受信機において実施されているが、その際の画像の伸張・圧縮においても、画像マスクを同様に伸張・圧縮することで、本方式を有効に用いることが出来、同様の効果を得ることが出来る。
【００６５】
次に、本発明の録画再生装置及びサービスサーバを適用したＴＶ同期サービスの概要について、ドラマ番組内の情報提供サービスを例にして説明する。図１２は、ＴＶ同期サービスの概要を説明する図である。この図は、ＴＶ番組の一例として、ドラマ番組を示している。このドラマ番組は、情報提供サービスを含んでいる。すなわち、サービス制御データ１００のサービス種類１１１が情報提供サービスを示している。図１２（ａ）は、このドラマ番組のタイムチャートを示す。図１２（ｂ）〜（ｄ）は、（ａ）のタイムチャートにおける各時刻において表示装置２８の画面２００に表示される映像を示す。
【００６６】
図１２（ａ）を参照して、このドラマ番組は、その開始を示すＨＯＣ（Ｈｅａｄ  ｏｆ  Ｃｏｎｔｅｎｔｓ）からサービス制御データ１００の対象映像開始時刻（ＴＣ１）１０５までは、図１２（ｂ）に示す映像２０７が表示装置２８の画面２００に表示される。その後、対象映像開始時刻（ＴＣ１）１０５から対象映像終了時刻（ＴＣ２）１０７までの映像再生時間（α）１０６は、図１２（ｃ）に示す映像２０８が表示される。その後、対象映像終了時刻（ＴＣ２）１０７からドラマ番組終了までは、図１２（ｄ）に示す映像２０９が表示される。
【００６７】
図１２（ｂ）を参照して、この映像２０７の表示している時間（対象映像開始時刻（ＴＣ１）１０５）では情報提供サービスを行っていない。そのため、ヒントメッセージは表示されず、表示されているのは通常の映像データ２０７ａのみである。
【００６８】
図１２（ｃ）を参照して、この映像２０８は、画面マスクと通常の映像データ２０８ａと合成用画像データとしてのヒントメッセージ２０８ｂ、ポインタ２４０、及びクリックポイント２５１とが含まれている。この場合、サービス制御データにおいて、ダミーポジション１１７−１〜１１７−ｎ及び対応する位置マスク指定１１８−１〜１１８−ｎが、クリックポイント２５１に対応する。この図の場合、ダミーポジション１１７−１は、表示装置２８の画面上に表示されるクリックポイント２５１の位置（座標）となる。位置マスク指定１１８−１は、ダミーポジション１１７−１に対応し、クリックポイント２５１の位置を指定する座標を決定する画面マスクとなる。ヒントメッセージ１１２は、映像２０８に表示されているメッセージである。戻りＷｅｂＵＲＬ１２７は、サービスサーバ２のその情報提供用のＵＲＬである。情報を提供するクリックポイントが複数ある場合、ダミーポジション１１７−１〜１１７−ｎ及び対応する位置マスク指定１１８−１〜１１８−ｎが設定され、戻りＷｅｂＵＲＬ１２７もそのクリックポイントごとに設定される。この図において、視聴者が画面２００上のクリックポイント２５１をポインタ２４０でクリックすることで録画再生装置１がサービスサーバ２の対応するＵＲＬにアクセスして、情報提供を行なうことができる。
【００６９】
図１２（ｄ）を参照して、この映像２０９の表示している時間では情報提供サービスを行っていない。情報提供後又は視聴者が情報提供を行わなかった場合、映像２０８の続きである映像２０９が表示される。そのため、表示されているのは通常の映像データ２０９ａのみである。
【００７０】
なお、ドラマ番組中の他の場面において、ＴＶ同期サービスとして別の情報提供を行っている場合、その場面ごとに、サービス制御データを用意する。また、ドラマ番組の途中にＴＶ同期サービスを行うＣＭ番組を挿入する場合、そのＣＭ番組に対応したサービス制御データを用意する。
【００７１】
図１３は、クリックポイントがクリックされた場合を示す概略図である。図１３（ａ）は、図１２（ｃ）において、視聴者が画面２００上のクリックポイント２５１をポインタ２４０でクリッした状況を示す。図１３（ｂ）は、画面２００上に表示されるメッセージ画面２５０を示す。録画再生装置１は、視聴者がクリックポイント２５１をポインタ２４０でクリックしたことに応答して、サービスサーバ２の所定のＵＲＬにアクセスして、そのＵＲＬにおける対応するデータを取得し、メッセージ画面２５０として表示する。ここでは、映像２０８中のレンガの家２５３に関し、提供可能な情報の種類が表示される。
【００７２】
図１４は、メッセージ画面がクリックされた場合を示す概略図である。図１４（ａ）は情報提供のうち、「１）レンガの家の所在地地図」がクリックされた場合に表示される画面２６１を示す。図１４（ｂ）は情報提供のうち、「２）レンガの家の歴史」がクリックされた場合に表示される画面２６２を示す。図１４（ｃ）は情報提供のうち、「３）レンガの家の訪問ツアー」がクリックされた場合に表示される画面２６３を示す。図１４（ａ）〜図１４（ｃ）に表示される画面のデータは、戻りＷｅｂＵＲＬ１２７に示されたＵＲＬにアクセスすることで取得する。図１３及び図１４における情報提供の機能は、ＴＶ同期サービス制御部１７のＷｅｂブラウザ機能により実現可能である。この場合、元の映像２０８は一時的に停止する。
【００７３】
次に、本発明の録画再生装置及びサービスサーバを適用したＴＶコンテンツ同期システムの実施の形態の動作（録画再生装置の動作方法、サービスサーバの動作方法、及びＴＶコンテンツ同期方法の実施の形態）について説明する。図１５Ａ及び図１５Ｂは、本発明の録画再生装置及びサービスサーバを適用したＴＶコンテンツ同期システムの実施の形態の動作を示すフロー図である。
【００７４】
まず、放送システム３のＴＶ番組を録画再生装置１で録画する動作について説明する。
放送システム３は、ＴＶ番組を放送する（ステップＳ０１）。そして、放送システム３は、ＴＶ番組データを外部へ送信する（ステップＳ０２）。ただし、ＴＶ番組データは、ここでは、ＴＶ同期サービスに関するデータを特に含む必要はなく、従来のＴＶ番組データと同じものであっても良い。録画再生装置１は、そのＴＶ番組データをアンテナ２５で受信する。また、放送システム３の放送サーバ５１は、放送するＴＶ番組のうち、ＴＶ同期サービスを行うＴＶ番組に関するサービス制御データを生成する。そして、ＴＶ同期サービスを行うＴＶ番組のＥＰＧデータとそのサービス制御データとをサービスサーバ２へ送信する（ステップＳ０３）。サービスサーバ２は、ＥＰＧデータをＥＰＧ・検索サーバ４２に、サービス制御データを制御サーバ４１に、それぞれ格納する。このとき、ＥＰＧデータとサービス制御データとは互いに関連付けられている。
【００７５】
なお、サービス制御データの生成及び送信は、放送の前に行ってもよいし、放送の後に行ってもよい。また、放送の後に、適宜新たなサービス制御データに更新してもよい。本発明では、ＴＶ同期サービスを行うとき、ＴＶ番組データに特別にデータを埋め込んだり、ＴＶ番組データを修飾する必要がない。すなわち、既に放送を終わった番組に対して後付けでＴＶ同期サービスを提供することができる。したがって、ＴＶ番組データの製作が容易であるとともに、視聴者の反応を見ながらＴＶ同期サービスの内容を修正することもできる。
【００７６】
アンテナ２５は、放送システム３からのＴＶ番組を示すＴＶ番組データを電波で受信して、受信部１１へ供給する。受信部１１は、ＴＶ番組データを示す電波を検波して、ＴＶ番組データを取得する。ユーザの入力（例示：リモコン操作によるリモコン入力制御部１６への入力）に基づいて、録画・再生部１４は、ＴＶ番組データを録画する（ステップＳ０５）。それにより、録画・再生部１４は、ＴＶ番組データを録画番組ファイル記憶部２３へ録画番組ファイルとして記憶する。ＥＰＧ分離制御部１５は、録画されるＴＶ番組データからＥＰＧデータを抽出し、ＥＰＧデータ記憶部２２へ格納する（ステップＳ０６）。このとき、ＥＰＧ分離制御部１５は、ＥＰＧデータ記憶部２２のＥＰＧデータと録画番組ファイル記憶部２３の録画番組ファイルとを互いに関連付ける。
【００７７】
次に、録画再生装置１でＴＶ同期サービスを提供しているＴＶ番組を検索する動作について説明する。
ユーザの入力（例示：リモコン操作によるリモコン入力制御部１６への入力）に基づいて、録画・再生部１４は、ＥＰＧデータ記憶部２２のＥＰＧデータを取得して、録画番組ファイル記憶部２３に格納された録画番組ファイルのＥＰＧデータのリストを表示装置２８に表示させる（ステップＳ１１）。図１６は、録画番組ファイルのリストを表示する画面の概略図である。画面２８０には、録画番組ファイルのリスト２８１、操作ボタン２８２及びＴＶ同期サービス制御ボタン２８３が表示されている。リスト２８１は、録画番組ファイル記憶部２３に格納された録画番組ファイルを特定するＥＰＧデータを表形式で示している。操作ボタン２８２は、リモコンのポインティングデバイスのポインタで選択や再生を行うためのボタンを示している。ＴＶ同期サービス制御ボタン２８３は、リスト２８１で表示された録画番組ファイルのうち、ＴＶ同期サービスを行っているものを検索させるためのボタンである。
【００７８】
ユーザのリモコン操作によりＴＶ同期サービス制御ボタン２８３が押下されると、入リモコン入力制御部１６は、ユーザのリモコン操作の内容を示すリモコン操作データ（ＴＶ同期サービス検索信号）を、そのリモコンから受信して、ＴＶ同期サービス制御部１７へ出力する（ステップＳ１２）。ＴＶ同期サービス制御部１７は、ＴＶ同期サービス検索信号の場合、録画番組ファイル記憶部２３に格納されたＴＶ番組のうちＴＶ同期サービスを受けられるＴＶ番組を問い合せるようにＴＶ同期サービス制御データ検出部２０へ指示する。具体的には、録画番組ファイル記憶部２３に格納されたＴＶ番組に関連付けられたＥＰＧデータをＥＰＧデータ記憶部２２から読出し、当該ＥＰＧデータと同じＥＰＧデータがサービスサーバ２のＥＰＧ・検索サーバ４２にあるか否かを検索させる。ＴＶ同期サービス制御データ検出部２０は、ＴＶ同期サービス制御部１７の指示に基づいて、インターネット接続部２１及びネットワーク４経由でサービスサーバ２にアクセスする。そして、ＥＰＧ・検索サーバ４２へ、ＥＰＧデータ記憶部２２のＥＰＧデータが、サービス制御データの登録のあるＴＶ番組（ＥＰＧデータ）に含まれているか否かの問合せを行う（ステップＳ１３）。ＥＰＧ・検索サーバ４２は、録画再生装置１（ユーザ）からの問合せに基づいて、サービス制御データの登録のあるＴＶ番組の中に、録画番組ファイル記憶部２３に格納されたＴＶ番組が有るか否かを検索する。具体的には、ＥＰＧ・検索サーバ４２のＥＰＧデータに、ＥＰＧデータ記憶部２２のＥＰＧデータがあるか否かを検索する（ステップＳ１４）。ＥＰＧ・検索サーバ４２は、検索結果を録画再生装置１へ送信する（ステップＳ１５）。
【００７９】
ネットワーク４及びインターネット接続部２１経由で検索結果を受信したＴＶ同期サービス制御データ検出部２０は、検索結果に基づいて、ＥＰＧデータ記憶部２２のＥＰＧデータについて、ＴＶ同期サービスが有るか否かを判断する（ステップＳ１６）。ＴＶ同期サービスが有る場合、該当するＥＰＧデータに対応するサービス制御データをＥＰＧ・検索サーバ４２へ要求する（ステップＳ１７）。ＥＰＧ・検索サーバ４２は、該当するＥＰＧデータを録画再生装置１の識別データと共に制御サーバ４１へ通知する。制御サーバ４１は、該当するＥＰＧデータに対応するサービス制御データを抽出し（ステップＳ１８）、ネットワーク４を介して、録画再生装置１へ送信する（ステップＳ１９）。
【００８０】
ＴＶ同期サービス制御データ検出部２０は、サービス制御データを受信し、制御データ記憶部２４へ格納する（ステップＳ２０）。また、サービス制御データに対応するＥＰＧデータをＴＶ同期サービス制御部１７へ出力する。ＴＶ同期サービス制御部１７は、再生同期制御部１８を介して録画・再生部１４へサービス制御データに対応するＥＰＧデータを出力する。そのＥＰＧデータに基づいて、録画・再生部１４は、録画番組ファイルのＥＰＧデータのリストを更新し、表示装置２８に表示させる（ステップＳ２１）。図１７は、更新後の録画番組ファイルのリストを表示する画面の概略図である。画面２８０の録画番組ファイルのリスト２８１には、例えば、新たにＴＶ同期サービスを受けることができるマーク２８６が＃２のＴＶ番組（ＥＰＧデータ）に付加されている。また、＃２のＴＶ番組を再生するとき、ＴＶ同期サービスを受けられるようにするＴＶ同期サービスボタン２８５も付加されている。操作ボタン２８２及びＴＶ同期サービス制御ボタン２８３は図１６と同様である。
【００８１】
ただし、サービス制御データ受信後、しばらくして更新後の録画番組ファイルのリストを表示させる場合、ＴＶ同期サービス制御部１７は、サービス制御データの有効期間１１３をチェックし、有効期間を過ぎている場合には、ＴＶ同期サービスを受けることができるマーク２８６を表示しない。この場合でも、再び、ステップＳ１１〜Ｓ２１の動作を実行することで、更新されたＴＶ同期サービスがあれば、その更新されたＴＶ同期サービスを受けることができるマーク２８６が新たに表示される。このように、本発明では、有効期間が過ぎた後、内容を変更した新たなＴＶ同期サービスを提供することが出来る。
【００８２】
次に、録画再生装置１でＴＶ同期サービスを受ける動作について説明する。
ユーザのリモコン操作により、＃２のＴＶ番組が選択され、ＴＶ同期サービスボタン２８５及び操作ボタンの再生が押下されると、入リモコン入力制御部１６は、ユーザのリモコン操作の内容を示すリモコン操作データ（ＴＶ同期サービス利用信号＋再生信号）を、そのリモコンから受信して、ＴＶ同期サービス制御部１７へ出力する（ステップＳ３１）。ＴＶ同期サービス制御部１７は、選択されたＴＶ番組のＥＰＧデータと、制御データ記憶部２４のサービス制御データの番組コード１０１及び番組放送日時及びチャンネル１０２とに基づいて、選択されたＴＶ番組のサービス制御データを制御データ記憶部２４から取得する。そして、再生同期制御部１８に、そのＴＶ番組の再生を指示する。更に、そのＴＶ番組の再生と同期して動作するようにマーカ設定・検出部１９に指示する。再生同期制御部１８は、そのＴＶ番組について、マーカ設定・検出部１９の動作と同期しながら再生するように録画・再生部１４に再生を指示する。録画・再生部１４は、再生同期制御部１８の指示に基づいて、そのＴＶ番組の録画番組ファイルを録画番組ファイル記憶部２３から取り出し、マーカ設定・検出部１９の動作と同期しながらその録画番組ファイルを再生する（ステップＳ３２）。
【００８３】
マーカ設定・検出部１９は、録画・再生部１４と同期しているので、録画・再生部１４が録画番組ファイルの再生を開始した時刻（ＨＯＣ）を把握している。マーカ設定・検出部１９は、ＴＶ同期サービス制御部１７からのサービス制御データ（例示：クイズの場合、サービス種類１１１、ヒントメッセージ１１２、ダミーポジション１１７−１〜１１７−ｎ、位置マスク指定１１８−１〜１１８−ｎ、正解位置指定１２１、位置マスク指定１２２、得点１２３、位置表示フラグ１２５）に基づいて、合成用画像データを生成する。そして、サービス制御データに基づいて、対象映像開始時刻（ＴＣ１）１０５になったとき（ステップＳ３３）、録画・再生部１４の再生動作に同期させて、生成した合成用画像データを画像合成部１３へ出力する。画像合成部１３は、映像データと合成用画像データとを合成して、表示装置２８へ出力する（ステップＳ３４）。表示装置２８は、その合成された映像を表示する。
【００８４】
この合成された映像が表示装置２８に表示されたとき、ユーザのリモコン操作により、リモコン入力制御部１６に入力があると（ステップＳ３５）、ＴＶ同期サービス制御部１７は、当該入力に関する処理を行う（ステップＳ３６）。例えば、クイズの場合、ＴＶ同期サービス制御部１７は、リモコンのポインティングデバイスのポインタが、正解位置指定１２１及び位置マスク指定１２２で特定されるポイントをクリックした場合、クイズで当たりとなったと認識する。その場合、ＴＶ同期サービス制御部１７は、表示するユーザ（録画再生装置１）を示すＩＤや獲得した得点（得点１２３）、クイズの処理を行うＵＲＬ（戻りＷｅｂＵＲＬ１２７）を抽出する。また、情報提供の場合、情報提供をするＵＲＬ（戻りＷｅｂＵＲＬ１２７）を抽出する。そして、抽出された情報を含む依頼データをサービスサーバ２へ送信する。サービスサーバ２は、依頼データに基づいて、依頼内容に係る処理を実行する（ステップＳ３８）。例えば、クイズの場合、ユーザＩＤに基づいて、個人得点管理サーバ４３に獲得した得点を記録し、そのユーザＩＤの獲得した総得点を算出する。情報提供の場合、外部サーバ又は自身のデータベースにアクセスして、要求されている情報及び関連情報を取得する。その後、依頼内容に係る処理を実行した結果を示す結果データを録画再生装置１へ返信する（ステップＳ３９）。例えば、クイズの場合、個人得点管理サーバ４３がそのユーザＩＤの獲得した総得点を録画再生装置１へ送信する。情報提供の場合、要求された情報（データ、ＵＲＬなど）を録画再生装置１へ送信する。ＴＶ同期サービス制御部１７は、結果を表示装置２８に表示させる（ステップＳ４０）。このとき、録画・再生部１４に録画番組ファイルの再生を完全に停止させていても良いし、一時停止して静止画面で表示させていてもよい。例えば、クイズの場合、マーカ設定・検出部１９は、受信した総得点及び得点１２３に基づいて、ユーザが得る得点やそのメッセージ及びシンボルを合成用画像データを合成し、画像合成部１３へ出力する。画像合成部１３は映像データ（静止画面）にその合成用画像データを合成して、表示装置２８に表示させる。情報提供の場合、録画・再生部１４により、録画番組ファイルの再生を完全に停止し、情報提供の画面（情報提供用のＵＲＬのＨＰ（ホームページ）等）を表示させる。いずれの場合も復帰はユーザのリモコン操作（例示：再生ボタン操作）による。復帰に際しても、マーカ設定・検出部１９と録画・再生部１４とは同期している。
ＴＶ番組が終了するまで、ステップＳ３３〜Ｓ４０まで繰り返す（ステップＳ４１）。
【００８５】
上記動作により、本発明の録画再生装置及びサービスサーバを適用したＴＶコンテンツ同期方法を実施することが出来る。本発明により、視聴者に録画されたＴＶ番組においても双方向なＴＶ同期サービスを受けることができる。そして、そのＴＶ同期サービスの内容やサービス期間を、ＴＶ番組放送終了後に自在に変更することが出来る。加えて、ＴＶ番組の放送データそのものに特別な処理をしなくても、当該ＴＶ番組においてＴＶ同期サービスを提供可能となる。
【００８６】
なお、上記説明における画面マスクを用いた座標設定は、画面マスクを一段階としているが、画面マスクを複数段階としてもよい。図１８は、画面上の座標の設定方法の概要を説明する図である。この図では、画面マスクが二段階の場合を示している。まず、一段階目として、左側の画面２００において画面マスク２２１を用いてポイント２７０を座標（ｈ６、ｖ３）で特定する。次に、二段階目として、右側のポイント２７０において画面マスク２２５を用いてポイント２７１を座標（ｈ５、ｖ３）で特定する。この場合、ポイント２７１の特定は、画面マスク２２１：座標（ｈ６、ｖ３）×画面マスク２２５：座標（ｈ５、ｖ３）である。この場合、少ない情報で、より詳細にポイント２７１を指定することができる。また、画面マスク２２１と２２５とを同一のものを用いれば、更に少ない情報で、より詳細にポイント２７１を指定することができる。
【００８７】
この場合のサービス制御データについて説明する。図１９は、サービス制御データの内容を示す図である。サービス制御データ１００ａは、基本的にサービス制御データ１００と同じである。しかし、画面マスクの段階を示すマスク表示レベル（段階）（ＤＹｍ）１１０、及び各段階においてダミーポジションと位置マスク指定がある点で、サービス制御データ１００と異なる。この図では、二段階の場合（マスク表示レベル（ＤＹｍ）１１０＝２）について示している。すなわち、一段階目のダミーポジション１１７−１〜１１７−ｎと位置マスク指定１１８−１〜１１８−ｎ、二段階目のダミーポジション１１９−１〜１１９−ｎと位置マスク指定１２０−１〜１２０−ｎがある。
【図面の簡単な説明】
【００８８】
【図１】図１は、本発明の本発明の録画再生装置及びサービスサーバを適用したＴＶコンテンツ同期システムの実施の形態の構成を示すブロック図である。
【図２】図２は、本発明の録画再生装置の実施の形態の構成を示すブロック図である。
【図３】図３は、サービス制御データの内容を示す図である。
【図４】図４は、ＴＶ同期サービスの概要を説明する図である。
【図５】図５は、画面上の座標の及びクイズの正解の座標の設定方法の概要を説明する図である。
【図６】図６は、画像マスクを用いる利点を説明する概略図である。
【図７】図７は、クイズに正解したときの映像を示す概略図である。
【図８】図８は、他の画像マスク及びそれを用いる利点を説明する概略図である。
【図９】図９は、他の画像マスクを用いる利点を説明する概略図である。
【図１０】図１０は、画面上のクイズの正解の座標の表示方法の概要を説明する図である。
【図１１】図１１は、映像サイズの変更方法を説明する図である。
【図１２】図１２は、ＴＶ同期サービスの概要を説明する図である。
【図１３】図１３は、クリックポイントがクリックされた場合を示す概略図である。
【図１４】図１４は、メッセージ画面がクリックされた場合を示す概略図である。
【図１５Ａ】図１５Ａは、本発明の録画再生装置及びサービスサーバを適用したＴＶコンテンツ同期システムの実施の形態の動作を示すフロー図である。
【図１５Ｂ】図１５Ｂは、本発明の録画再生装置及びサービスサーバを適用したＴＶコンテンツ同期システムの実施の形態の動作を示すフロー図である。
【図１６】図１６は、録画番組ファイルのリストを表示する画面の概略図である。
【図１７】図１７は、更新後の録画番組ファイルのリストを表示する画面の概略図である。
【図１８】図１８は、画面上の座標の設定方法の概要を説明する図である。
【図１９】図１９は、サービス制御データの内容を示す図である。
【符号の説明】
【００８９】
１    録画再生装置
２    サービスサーバ
３    放送システム
１１    受信部
１２    ＴＶ画像表示部
１３    画像合成部
１４    録画・再生部
１５    ＥＰＧ分離制御部
１６    リモコン入力制御部
１７    ＴＶ同期サービス制御部
１８    再生同期制御部
１９    マーカ設定・検出部
２０    ＴＶ同期サービス制御データ検出部
２１    インターネット接続部
２２    ＥＰＧデータ記憶部
２３    録画番組ファイル記憶部
２４    制御データ記憶部
２５    アンテナ
４１    制御サーバ
４２    ＥＰＧ・検索サーバ
４３    個人得点管理サーバ
５１    放送サーバ
１００、１００ａ    サービス制御データ
１０１    番組コード（ＢＣＩＤ）
１０２    番組放送日時及びチャンネル（ＢＴＣ）
１０５    対象映像開始時刻（ＴＣ１）
１０６    映像再生時間（α）
１０７    対象映像終了時刻（ＴＣ２）
１０８    （ＴＣ１＋α）（ＴＣ２）
１１０    マスク表示レベル（段階）（ＤＹｍ）
１１１    サービス種類（ＳＶＣＴ）
１１２    ヒントメッセージ（ＨＭＳＧ）
１１３    有効期間（ＹＤＹｎ）
１１７−１〜１１７−ｎ、１１９−１〜１１９−ｎ    ダミーポジション（ＰＰ１）〜（ＰＰｎ）
１１８−１〜１１８−ｎ、１２０−１〜１２０−ｎ    位置マスク指定（ＭＳ１）〜（ＭＳｎ）
１２１    正解位置指定（ＰＰａ）
１２２    位置マスク指定
１２３    得点（ＧＴ）
１２５    位置表示フラグ（ＭＤＥ）
１２７    戻りＷｅｂＵＲＬ（ＲＴＵＲＬ）
【図１】
0004831741.tif 000002
【図２】
0004831741.tif 000003
【図３】
0004831741.tif 000004
【図４】
0004831741.tif 000005
【図５】
0004831741.tif 000006
【図６】
0004831741.tif 000007
【図７】
0004831741.tif 000008
【図８】
0004831741.tif 000009
【図９】
0004831741.tif 000010
【図１０】
0004831741.tif 000011
【図１１】
0004831741.tif 000012
【図１２】
0004831741.tif 000013
【図１３】
0004831741.tif 000014
【図１４】
0004831741.tif 000015
【図１５Ａ】
0004831741.tif 000016
【図１５Ｂ】
0004831741.tif 000017
【図１６】
0004831741.tif 000018
【図１７】
0004831741.tif 000019
【図１８】
0004831741.tif 000020
【図１９】
0004831741.tif 000021